(57)【要約】      （修正有）【課題】簡単な構成で、セットキーによって、通常用いるノーマルキーによる扉錠などの施解錠操作を一時的に禁止することができると共に、必要に応じてリセットキーによって元のノーマルキーの使用が可能な状態に戻すことができるシリンダ錠を提供する。【解決手段】施解錠操作を行うためのノーマルキーＫをプラグ２に差し込むと、第１下タンブラ６Ａが挿入されたコラム４内に補助タンブラ７を収容可能なスペースＳ1が形成され、このスペースＳ1内に補助タンブラ７を収容することで、ノーマルキーＫによる施解錠操作が可能なノーマル状態となるシリンダ錠Ｄであって、スペースＳ1内の補助タンブラ７をセットキーＳＫによって第２下タンブラ６Ｂが挿入されたコラム４内に移動させると、ノーマルキーＫによる施解錠操作が不可能なセット状態となり、更には、リセットキーＲＫによって、セット状態からノーマル状態への切り換えを行えるように構成した。【選択図】      図５
2005002641.tif 000002
【特許請求の範囲】
【請求項１】
シリンダ胴およびプラグの複数のコラムにそれぞれ上下タンブラを挿入し、一部の上下タンブラの間に補助タンブラを介在させ、上タンブラを、プラグ側に突出することが規制された規制タンブラと規制されないフリー上タンブラとで構成し、前記規制タンブラおよびフリー上タンブラに対向する位置に第１下タンブラおよび第２下タンブラを設けてあり、施解錠操作を行うためのノーマルキーを前記プラグに差し込むと、前記第１下タンブラが挿入されたコラム内に前記補助タンブラを収容可能なスペースが形成され、このスペース内に前記補助タンブラを収容することで、前記ノーマルキーによる施解錠操作が可能なノーマル状態となるシリンダ錠であって、前記スペース内の補助タンブラをセットキーによって第２下タンブラが挿入されたコラム内に移動させると、ノーマルキーによる施解錠操作が不可能なセット状態となり、更には、リセットキーによって、セット状態からノーマル状態への切り換えを行えるように構成したことを特徴とするシリンダ錠。
【発明の詳細な説明】
【０００１】
【発明の属する技術分野】
本発明は、扉錠などの施解錠操作に通常用いるノーマルキーの使用を一時的に禁止することができると共に、必要に応じて元のノーマルキーを使用可能な状態に戻すことができるシリンダ錠に関する。
【０００２】
【従来の技術】
【特許文献１】特開平８−２８４４９８号公報
【特許文献２】特公平７−４５７８７号公報
従来のシリンダ錠として、上記特許文献１に示すように、鍵山の異なる二種類のキーを用いて施解錠（施錠および解錠）でき、かつ特定の操作を行うことにより、二種類のうち、一種類のキーの使用を一時的に禁止することができるように構成されたものがある。
【０００３】
【発明が解決しようとする課題】
しかし、上記のシリンダ錠では、プラグの一部に前後長手方向の溝を形成し、制御部材をこの溝に常時プラグ前面側に付勢するスプリングを介して前後摺動自在に嵌挿していたことから、構造が複雑となっていた。
【０００４】
また、他のシリンダ錠として、上記特許文献２に示すように、新コードキーを用いて所定の操作を行うことによりコードを変更し、それまで用いていたキーを使えなくするように構成されたものがある。
【０００５】
しかし、上記のシリンダ錠では、新コードキーによりコードを変更すると、そのコードを再び元に戻すことができず、それまで用いていたキーの使用を一時的にのみ禁止することができなかった。
【０００６】
本発明は上述の事柄に留意してなされたもので、その目的は、簡単な構成により、通常用いるノーマルキーによる施解錠操作を一時的に不可能にする、即ち、ノーマルキーの使用を一時的に禁止することができるシリンダ錠を提供することである。
【０００７】
【課題を解決するための手段】
上記目的を達成するために、本発明のシリンダ錠は、シリンダ胴およびプラグの複数のコラムにそれぞれ上下タンブラを挿入し、一部の上下タンブラの間に補助タンブラを介在させ、上タンブラを、プラグ側に突出することが規制された規制タンブラと規制されないフリー上タンブラとで構成し、前記規制タンブラおよびフリー上タンブラに対向する位置に第１下タンブラおよび第２下タンブラを設けてあり、施解錠操作を行うためのノーマルキーを前記プラグに差し込むと、前記第１下タンブラが挿入されたコラム内に前記補助タンブラを収容可能なスペースが形成され、このスペース内に前記補助タンブラを収容することで、前記ノーマルキーによる施解錠操作が可能なノーマル状態となるシリンダ錠であって、前記スペース内の補助タンブラをセットキーによって第２下タンブラが挿入されたコラム内に移動させると、ノーマルキーによる施解錠操作が不可能なセット状態となり、更には、リセットキーによって、セット状態からノーマル状態への切り換えを行えるように構成した（請求項１）。
【０００８】
上記の構成からなる本発明では、簡単な構成で、セットキーによって、通常用いるノーマルキーによる扉錠などの施解錠操作を一時的に不可能、即ち、ノーマルキーの使用を一時的に禁止することができると共に、必要に応じてリセットキーによってノーマルキーの使用が可能な状態に戻すことができるシリンダ錠を提供することが可能となる。
【０００９】
すなわち、本発明のシリンダ錠は、従来の一般的なシリンダ錠に対して、例えば球状体からなる補助タンブラを設けるとともに、従来の一般的なシリンダ錠が有しているコラム、上タンブラおよび下タンブラの形状を若干変えるだけで構成することができるため、構成が非常に簡単であり、また、ノーマル状態からセット状態に切り換えるだけで施解錠操作に通常用いるノーマルキーの使用を禁止できると共に、前記ノーマル状態からセット状態への切り換え操作と、セット状態からノーマル状態への切り換え操作とは何度でも行えるため、前記ノーマルキーによる施解錠操作を、一時的にかつ繰り返し禁止することができる。
【００１０】
【発明の実施の形態】
以下、本発明の実施の形態を図面に基づいて説明する。
図１、図２、図３および図４は、本発明の一実施例に係るシリンダ錠Ｄの構成を概略的に示す正面図、背面図、縦断面図および横断面図、図５は、図４のＸ−Ｘ線断面図である。
シリンダ錠Ｄは、シリンダ胴１と、このシリンダ胴１の内部にその軸まわりに回動可能に収容されるプラグ２とを有し、シリンダ胴１およびプラグ２の複数のコラム３，４にそれぞれ上下タンブラ５，６を挿入し、一部の上下タンブラ５，６の間に補助タンブラ７を介在させ、上タンブラ５を、プラグ２側に突出することが規制された規制タンブラ５Ｒと規制されないフリー上タンブラ５Ｆとで構成し、前記規制タンブラ５Ｒおよびフリー上タンブラ５Ｆに対向する位置に第１下タンブラ６Ａおよび第２下タンブラ６Ｂを設け、前記第１下タンブラ６Ａおよび第２下タンブラ６Ｂは、プラグ２の回動により、前記規制タンブラ５Ｒに対向する位置とフリー上タンブラ５Ｆに対向する位置との両方の位置に移動することができるように構成してある。
【００１１】
前記シリンダ胴１のコラム３内に挿入された上タンブラ５は、スプリングなどの付勢手段８により常時プラグ２側へと付勢され、コラム３内を自在に摺動する。
【００１２】
前記プラグ２のコラム４内に挿入した下タンブラ６の外周面には外方に突出した突出部９が設けられている。一方、前記下タンブラ６が挿入されるコラム４の内壁には、前記突出部９に当接して下タンブラ６がプラグ２の鍵穴２ａ内へそれ以上移動することを阻止（規制）する段部１０が設けられており、この段部１０によって、前記下タンブラ６は、コラム４内からプラグ２の鍵穴２ａ内に落ちない範囲でコラム４内を自在に摺動するように構成されている。
【００１３】
前記補助タンブラ７は、ほぼ球形状をしている。
【００１４】
前記規制タンブラ５Ｒの外周面には外方に突出した突出部１１が設けられている。一方、前記規制タンブラ５Ｒが挿入されるコラム３の内壁には、前記突出部１１が当接し、規制タンブラ５Ｒがシャーラインを越えてプラグ２側へ移動することを阻止（規制）する段部１２が設けられており、この段部１２によって、前記規制タンブラ５Ｒは、コラム３内からプラグ２側に突出しない範囲でコラム３内を自在に摺動するように規制されている。
【００１５】
前記フリー上タンブラ５Ｆのプラグ２側の端部には、下タンブラ６に近くなるほど細くなるテーパ部１３が設けられている。
【００１６】
前記第１下タンブラ６Ａが挿入されたコラム４の内壁の上タンブラ５側の開口部周縁には、テーパ部１４が設けられている。
【００１７】
前記第１下タンブラ６Ａおよび第２下タンブラ６Ｂのそれぞれ上タンブラ５と対向する側の端面部には凹部１５を形成してある。
【００１８】
そして、前記シリンダ錠Ｄは、施解錠を行うためのノーマルキーＫ（図６（Ａ）および（Ｂ）参照）を前記プラグ２の鍵穴２ａに差し込むと（図７参照）、前記第１下タンブラ６Ａが挿入されたコラム４内に前記補助タンブラ７を収容可能なスペースＳ１  が形成され、このスペースＳ１  内に前記補助タンブラ７を収容することで、前記ノーマルキーＫによる施解錠が可能なノーマル状態となるように構成されている。
【００１９】
前記ノーマルキーＫは、前記プラグ２の鍵穴２ａに表または裏向きのどちらの向きに差し込んでもシリンダ錠Ｄを操作することができるようにした、所謂リバーシブルタイプのキーであり、前記下タンブラ６に対応する凹み（鍵山）１６を、表面Ｋ１  と裏面Ｋ２  との対称位置にそれぞれ有している。
【００２０】
以下に、前記ノーマルキーＫを用いたシリンダ錠Ｄの施解錠の操作手順について説明する。
前記ノーマル状態のシリンダ錠Ｄでは、前記第１下タンブラ６Ａは前記フリー上タンブラ５Ｆと対向し、前記第２下タンブラ６Ｂは前記規制タンブラ５Ｒと対向するとともに、前記第１下タンブラ６Ａと前記フリー上タンブラ５Ｆとの間に前記補助タンブラ７が介在している。そして、このノーマル状態のシリンダ錠Ｄのプラグ２の鍵穴２ａにノーマルキーＫを差し込むと、図７および図８に示すように、前記第１下タンブラ６Ａを除く各下タンブラ６の上タンブラ５側の端面が、シリンダ胴１とプラグ２のシャーライン上に揃う。
【００２１】
また、このとき、図９にも示すように、ノーマルキーＫに設けられた前記第１下タンブラ６Ａに対応する凹み１６Ａは深くなっているため、前記第１下タンブラ６Ａが挿入されたコラム４内に前記補助タンブラ７を収容可能なスペースＳ１  が形成され、このスペースＳ１  内に前記補助タンブラ７が収容された状態となっている。なお、前記第１下タンブラ６Ａの端面部に設けられた前記凹部１５によって、球形状の前記補助タンブラ７はスペースＳ１  内に安定した状態で収容される。
【００２２】
一方、前記ノーマルキーＫに設けられた前記第２下タンブラ６Ｂに対応する凹み１６Ｂは浅くなっているため、前記第２下タンブラ６Ｂの端面は前記シャーライン上に揃う。
【００２３】
続いて、図９に示す状態からノーマルキーＫを反時計方向（順回転方向）に所定角度（本実施例では約９０°）回転させると、図１０に示すように、前記第１下タンブラ６Ａは前記規制タンブラ５Ｒと対向する位置に移動し、前記ノーマルキーＫの一端が前記フリー上タンブラ５Ｆと対向する状態となる。
【００２４】
ところで、前記シリンダ錠Ｄが図９に示す状態では、前記スペースＳ１  内に収容された前記補助タンブラ７の上タンブラ５側の端面は、シリンダ胴１とプラグ２のシャーラインよりも若干下タンブラ６側に寄った位置にあり、同様に前記フリー上タンブラ５Ｆの先端も前記シャーラインよりも若干下タンブラ６側に寄った位置にあるが、前記第１下タンブラ６Ａが挿入されたコラム４には、前記テーパ部１４が設けられており、また、前記フリー上タンブラ５Ｆには前記テーパ部１３が設けられていることから、テーパ部１４，１３の作用により、プラグ２の回動に伴って前記フリー上タンブラ５Ｆはコラム３内に押し込まれ、従って、前記フリー上タンブラ５Ｆがプラグ２の回動を妨げることはなく、シリンダ錠Ｄを図９に示す状態から図１０に示す状態へと作動することができる。
【００２５】
なお、前記ノーマルキーＫは、図１０に示す状態となったシリンダ錠Ｄから抜き取ることができ、また、図１０に示す状態のシリンダ錠ＤにノーマルキーＫを差し込み、このノーマルキーＫを時計方向（逆回転方向）に所定角度（本実施例では約９０°）回転させれば、シリンダ錠Ｄは図９に示す状態に戻る。
【００２６】
そして、本実施例のシリンダ錠Ｄでは、前記ノーマルキーＫを回動操作し、図９に示す状態と図１０に示す状態とに切り換えることにより、施錠、解錠が行えるように構成してある。
【００２７】
次に、前記セットキーＳＫを用いてシリンダ錠Ｄをノーマル状態からセット状態に切り換えるための操作手順について説明する。
まず、図５に示すノーマル状態のシリンダ錠Ｄのプラグ２の鍵穴２ａにセットキーＳＫを差し込むと、前記第２下タンブラ６Ｂを除く各下タンブラ６の上タンブラ５側の端面が、シリンダ胴１とプラグ２のシャーライン上に揃う（図１１参照）。
【００２８】
すなわち、図１１に示すように、前記セットキーＳＫに設けられた前記第１下タンブラ６Ａに対応する凹み１６Ｃは、前記ノーマルキーＫに設けられた同じ位置にある凹み１６Ａに比して、浅くなっているため、セットキーＳＫを差し込んだときに、前記第１下タンブラ６Ａの端面は、前記シャーライン上に揃うこととなる。
【００２９】
一方、前記セットキーＳＫに設けられた前記第２下タンブラ６Ｂに対応する凹み１６Ｄは、前記ノーマルキーＫに設けられた同じ位置にある凹み１６Ｂに比して、深くなっているため、第２下タンブラ６Ｂはその分、プラグ２のコラム４内において下方に（シリンダ胴１から離れて）位置し、セットキーＳＫを差し込んだときに、前記第２下タンブラ６Ｂが挿入されたコラム４内に前記補助タンブラ７を収容可能なスペースＳ２  が形成される。しかし、このスペースＳ２  が形成されたコラム４（前記第２下タンブラ６Ｂ）に対向する位置にある規制タンブラ５Ｒは、前記したように、シャーラインを越えてプラグ２側へ突出しないように規制されていることから、規制タンブラ５Ｒがプラグ２側に突出してプラグ２の回動を妨げることはないので、プラグ２は回動可能となる（図１２参照）。
【００３０】
そして、図１３に示すように、前記セットキーＳＫを時計方向に所定角度（本実施例では約９０°）回転させると、前記第２下タンブラ６Ｂは前記フリー上タンブラ５Ｆと対向する位置に移動する。なお、この回転中には、図１２から判るように、前記第１下タンブラ６Ａとフリー上タンブラ５Ｆとの間に介在していた補助タンブラ７は、フリー上タンブラ５Ｆが挿入されたコラム３内に押し込まれた状態となる。
【００３１】
そして、図１３の状態では、フリー上タンブラ５Ｆが挿入されたコラム３内に押し込まれていた補助タンブラ７は、第２下タンブラ６Ｂの凹部１５に収納され、前記スペースＳ２  内に収容されることになる。なお、前記第２下タンブラ６Ｂの端面部に設けられた前記凹部１５によって、球形状の前記補助タンブラ７はスペースＳ２  内に安定した状態で収容される。
【００３２】
続いて、前記セットキーＳＫを反時計方向に所定角度（本実施例では約９０°）回転させ、図１１に示す状態に戻すと、図１４に示すように、前記第１下タンブラ６Ａは前記フリー上タンブラ５Ｆと対向し、前記第２下タンブラ６Ｂは前記規制タンブラ５Ｒと対向し、また、補助タンブラ７は第２下タンブラ６Ｂの凹部１５に収納された状態なので、前記第２下タンブラ６Ｂと前記規制タンブラ５Ｒとの間に前記補助タンブラ７が介在する状態となる。そして、前記セットキーＳＫをプラグ２から引き抜くことにより、シリンダ錠Ｄは図１５に示すセット状態となる。
【００３３】
上記セット状態のシリンダ錠Ｄに今迄使用していた前記ノーマルキーＫを差し込んでも、セットキーＳＫの凹部１６ＣよりもノーマルキーＫの凹部１６Ａが深いので、図１６に示すように、前記フリー上タンブラ５Ｆがプラグ２側に突出し、前記第１下タンブラ６Ａが挿入されたコラム４内にシャーラインを越えて進入した状態となるため、ノーマルキーＫによるプラグ２の回動操作は不可能となり、すなわち、ノーマルキーＫの使用が禁止された状態となる。
【００３４】
次に、リセットキーＲＫを用いてシリンダ錠Ｄをセット状態からノーマル状態に切り換えるための操作手順について説明する。
まず、図１５のセット状態のシリンダ錠Ｄのプラグ２の鍵穴２ａにリセットキーＲＫを差し込むと、前記第１下タンブラ６Ａを除く各下タンブラ６の上タンブラ５側の端面が、シリンダ胴１とプラグ２のシャーライン上に揃う（図１７参照）。
【００３５】
すなわち、図１７に示すように、前記リセットキーＲＫに設けられた前記第２下タンブラ６Ｂに対応する凹み１６Ｆは、前記ノーマルキーＫに設けられた同じ位置にある凹み１６Ｂと同じ深さとなっているため、リセットキーＲＫを差し込んだときに、前記第２下タンブラ６Ｂの端面は、前記シャーライン上に揃うこととなる。
【００３６】
一方、前記リセットキーＲＫに設けられた前記第１下タンブラ６Ａに対応する凹み１６Ｅは、前記ノーマルキーＫに設けられた同じ位置にある凹み１６Ａに比して浅く、かつ、前記セットキーＳＫに設けられた同じ位置にある凹み１６Ｃに比して深くなっており、リセットキーＲＫを差し込んだときに、前記第１下タンブラ６Ａの端面は、シリンダ胴１とプラグ２のシャーラインよりも若干下タンブラ６側に寄った位置にあり、同様に前記フリー上タンブラ５Ｆの端面も前記シャーラインよりも若干下タンブラ６側に寄った位置にあるが、前記第１下タンブラ６Ａが挿入されたコラム４には、前記テーパ部１４が設けられており、また、前記フリー上タンブラ５Ｆには前記テーパ部１３が設けられていることから、プラグ２の回動に伴ってテーパ部１４，１３の作用により前記フリー上タンブラ５Ｆはコラム３内に押し込まれ、従って、前記フリー上タンブラ５Ｆがプラグ２の回動を妨げることはない。
【００３７】
そして、図１８に示すように、前記リセットキーＲＫを反時計方向に回転させ、図１９の状態にまで所定角度（本実施例では約９０°）だけ回転させると、前記第１下タンブラ６Ａは前記規制タンブラ５Ｒと対向する位置に移動する。なお、この回転中には、図１８に示すように、前記第２下タンブラ６Ｂと規制タンブラ５Ｒとの間に介在していた補助タンブラ７は、規制タンブラ５Ｒが挿入されたコラム３内に押し込まれた状態となる。
【００３８】
前記回転後、図１９の状態では、規制タンブラ５Ｒが挿入されたコラム３内に押し込まれていた補助タンブラ７は、第１下タンブラ６Ａの凹部１５によって形成される前記スペースＳ３  内に収容される。なお、前記第１下タンブラ６Ａの端面部に設けられた前記凹部１５によって、球形状の前記補助タンブラ７はスペースＳ３  内に安定した状態で収容される。
【００３９】
続いて、図２０に示すように、前記リセットキーＲＫを時計方向（逆回転方向）に回転させ、最終的に所定角度（本実施例では約９０°）だけ回転させると、図５に示すように、前記第１下タンブラ６Ａは前記フリー上タンブラ５Ｆと対向し、前記第２下タンブラ６Ｂは前記規制タンブラ５Ｒと対向するとともに、前記第１下タンブラ６Ａと前記フリー上タンブラ５Ｆとの間に前記補助タンブラ７が介在する元のノーマル状態に戻る。すなわち、ノーマルキーＫによる施解錠操作が可能な状態となる。
【００４０】
上述のように、セットキーＳＫを用いることで、シリンダ錠Ｄを、通常の施解錠操作に用いるノーマルキーＫが使用可能なノーマル状態からノーマルキーＫの使用が不可能となるセット状態に切り換えることにより、ノーマルキーＫの使用を一時的に禁止できる。また、リセットキーＲＫを用いることで、シリンダ錠ＤをノーマルキーＫが使用不可能なセット状態から元のノーマルキーＫが使用可能な状態に戻すことができ、上記状態の切り換えを必要に応じて何度でも行うことができる。
【００４１】
【発明の効果】
以上説明したように、この発明によれば、簡単な構成で、セットキーによって、通常用いるノーマルキーによる扉錠などの施解錠操作を一時的に不可能、即ち、ノーマルキーの使用を一時的に禁止することができ、しかも、必要に応じてリセットキーによって元のノーマルキーが使用可能な状態に戻すことができるシリンダ錠を提供することが可能となる。
【００４２】
すなわち、本発明のシリンダ錠は、従来の一般的なシリンダ錠に対して、例えば球状体からなる補助タンブラを設けるとともに、従来の一般的なシリンダ錠が有しているコラム、上タンブラおよび下タンブラの形状を若干変えるだけで構成することができるため、構成が非常に簡単であり、また、ノーマル状態からセット状態に切り換えるだけで施解錠操作に通常用いるノーマルキーの使用を禁止できると共に、前記ノーマル状態からセット状態への切り換え操作と、セット状態からノーマル状態への切り換え操作とは何度でも行えるため、前記ノーマルキーの使用を、一時的にかつ何度でも不可能にすることができる。
【図面の簡単な説明】
【図１】本発明の一実施例に係るシリンダ錠の構成を概略的に示す正面図である。
【図２】上記実施例の構成を概略的に示す背面図である。
【図３】上記実施例の構成を概略的に示す縦断面図である。
【図４】上記実施例の構成を概略的に示す横断面図である。
【図５】図４のＸ−Ｘ線断面図である。
【図６】（Ａ）および（Ｂ）は、ノーマルキーの構成を概略的に示す平面図および正面図である。
【図７】前記ノーマルキーを差し込んだ状態のシリンダ錠の構成を概略的に示す横断面図である。
【図８】前記ノーマルキーを差し込んだ状態のシリンダ錠の構成を概略的に示す縦断面図である。
【図９】ノーマル状態時にノーマルキーを差し込んだときのシリンダ錠の構成を概略的に示す説明図である。
【図１０】ノーマル状態時に差し込んだノーマルキーを反時計方向に９０°回転させたときのシリンダ錠の構成を概略的に示す説明図である。
【図１１】ノーマル状態時にセットキーを差し込んだときのシリンダ錠の構成を概略的に示す説明図である。
【図１２】ノーマル状態時に差し込んだセットキーを時計方向に回転させた直後のシリンダ錠の構成を概略的に示す説明図である。
【図１３】ノーマル状態時に差し込んだセットキーを時計方向に９０°回転させたときのシリンダ錠の構成を概略的に示す説明図である。
【図１４】ノーマル状態時に差し込んだセットキーを時計方向に９０°回転させた後、反時計方向に９０°回転させたときのシリンダ錠の構成を概略的に示す説明図である。
【図１５】セット状態のシリンダ錠の構成を概略的に示す説明図である。
【図１６】セット状態時にノーマルキーを差し込んだときのシリンダ錠の構成を概略的に示す説明図である。
【図１７】セット状態時にリセットキーを差し込んだときのシリンダ錠の構成を概略的に示す説明図である。
【図１８】セット状態時に差し込んだリセットキーを反時計方向に回転させた直後のシリンダ錠の構成を概略的に示す説明図である。
【図１９】セット状態時に差し込んだリセットキーを反時計方向に９０°回転させたときのシリンダ錠の構成を概略的に示す説明図である。
【図２０】セット状態時に差し込んだリセットキーを反時計方向に９０°回転させた後、時計方向に回転させた直後のシリンダ錠の構成を概略的に示す説明図である。
【符号の説明】
１…シリンダ胴、２…プラグ、３，４…コラム、５…上タンブラ、５Ｆ…フリー上タンブラ、５Ｒ…規制タンブラ、６…下タンブラ、６Ａ…第１下タンブラ、６Ｂ…第２下タンブラ、７…補助タンブラ、Ｄ…シリンダ錠、Ｋ…ノーマルキー、Ｓ１  …スペース、ＳＫ…セットキー、ＲＫ…リセットキー。
【図１】
2005002641.tif 000003
【図２】
2005002641.tif 000004
【図３】
2005002641.tif 000005
【図４】
2005002641.tif 000006
【図５】
2005002641.tif 000007
【図６】
2005002641.tif 000008
【図７】
2005002641.tif 000009
【図８】
2005002641.tif 000010
【図９】
2005002641.tif 000011
【図１０】
2005002641.tif 000012
【図１１】
2005002641.tif 000013
【図１２】
2005002641.tif 000014
【図１３】
2005002641.tif 000015
【図１４】
2005002641.tif 000016
【図１５】
2005002641.tif 000017
【図１６】
2005002641.tif 000018
【図１７】
2005002641.tif 000019
【図１８】
2005002641.tif 000020
【図１９】
2005002641.tif 000021
【図２０】
2005002641.tif 000022